(57)【要約】【課題】  携行物を吊り下げない場合には、目立たず、邪魔になることもなく、また予期しない無理な引張り力が加わって引っ張られたときには外れ、引き倒されたり、引きずられたりせず、小学生などの背負い鞄の使用者の安全を確保することができる背負い鞄における背負いベルト用掛け具を提供する。【解決手段】  背負いベルトＢにリベットＲにより固着するためのリベット孔Ｈを設けた当板部１と、弾力性を有するフック部２とからなり、前記フック部２に取付環４のリング状の取付部４ａを遊嵌する取付空間２ａを設けると共に、当板部１側に開口２ｂを設け、さらに前記当板部１とフック部２との間に、前記取付環４の取付部４ａの厚さよりも小さい隙間Ｓを設け、前記取付環４に所定の力以上の力が作用するとフック部２が弾性変形して、前記隙間Ｓが取付環４の取付部４ａの厚さよりも大きく広がり、その隙間Ｓから取付環４の取付部４ａが抜けて外れるようにしている。【選択図】        図３
0003113296.tif 000002
【実用新案登録請求の範囲】
【請求項１】
背負いベルト（Ｂ）にリベット（Ｒ）により固着するためのリベット孔（Ｈ）を設けた当板部（１）と、弾力性を有するフック部（２）とからなり、前記フック部（２）に取付環（４）のリング状の取付部（４ａ）を遊嵌する取付空間（２ａ）を設けると共に、当板部（１）側に開口（２ｂ）を設け、さらに前記当板部（１）とフック部（２）との間に、前記取付環（４）の取付部（４ａ）の厚さよりも小さい隙間（Ｓ）を設け、前記取付環（４）に所定の引張力以上の引張力が作用するとフック部（２）が弾性変形して、前記隙間（Ｓ）が取付環（４）の取付部（４ａ）の厚さよりも大きく広がり、その隙間（Ｓ）から取付環（４）の取付部（４ａ）が抜けて外れるようにしたことを特徴とする背負い鞄における背負いベルト用掛け具。
【請求項２】
前記隙間（Ｓ）に取付環（４）の取付部（４ａ）を押し込んだときにはフック部（２）が弾性変形して、隙間（Ｓ）が取付環（４）の取付部（４ａ）の厚さよりも大きく広がり、その隙間（Ｓ）に取付環（４）の取付部（４ａ）を通すことができるようにしたことを特徴とする請求項１記載の背負い鞄における背負いベルト用掛け具。
【請求項３】
前記当板部（１）の裏面におけるリベット孔（Ｈ）の周囲に位置するようにして、背負いベルト（Ｂ）の表面への押当て用の突起（３）を設けたことを特徴とする請求項１記載の背負い鞄における背負いベルト用掛け具。
【請求項４】
前記当板部（１）の裏面上端部（１ａ）および裏面下端部（１ｂ）を背負いベルト（Ｂ）側に反らせると共に、当板部（１）の裏面周縁部（１ｃ）より裏面中央部（１ｄ）を窪ませたことを特徴とする請求項１記載の背負い鞄における背負いベルト用掛け具。
【請求項５】
前記フック部（２）を略円筒胴形状とし、その略円筒胴の両端部を丸みを持たせたものとすると共に、その両端部の直径を中央部の直径より小さくしたことを特徴とする請求項１記載の背負い鞄における背負いベルト用掛け具。
【請求項６】
前記フック部（２）の取付空間（２ａ）の奥行きを浅くし、フック部（２）を嵩張らないようにしたことを特徴とする請求項５記載の背負い鞄における背負いベルト用掛け具。
【請求項７】
前記所定の引張力を、小学生が引っ張られて、引き倒されたり、引きずられたりするのに耐えることができないと考えられる引張力に設定したことを特徴とする請求項１記載の背負い鞄における背負いベルト用掛け具。
【考案の詳細な説明】
【技術分野】
【０００１】
この考案は、ランドセルやリュックサック、デイパックなどの背負い鞄における背負いベルト用掛け具に関するものである。
【背景技術】
【０００２】
従来、ランドセルやリュックサック、デイパックなどの背負い鞄を使用する場合、使用者はその背負い鞄を背負った後に、他の袋物や小物をさらに携行することがある。このときに、背負い鞄の使用者は、手の自由を確保するために、その袋物や小物を背負い鞄の本体や、背負いベルトに吊り下げることがある。
【０００３】
例えば、ランドセルを背負って登校する小学生は、ランドセルの他に、給食袋、上履き入れ、定期入れ、キーホルダーなどを携行する。また、近年、防犯の観点から、小学生に防犯ブザーを携行させる学校が増えている。したがって、小学生はランドセルを背負ったうえに、これらの多くの物を携行するが、これらはランドセル本体の側部に設けた横バンドに固着されたナス環やＤ環などからなる掛け具に掛けて吊り下げたり、背負いベルトに設けられたこれら掛け具に掛けて吊り下げていた。
【０００４】
前記ランドセル本体の横バンドに固着された掛け具としては、例えば図１２、１３に示したように、ナス環本体１１とランドセルの側面１２に固着する基板１３とからなり、基板１３に支軸１４を突設し、ナス環本体１１に支軸１４に取り付けるクランパー１５を備え、このクランパー１５にＣ字状をなし弾力的に開閉する開口部１６を有する取付部１７を設け、この取付部１７を前記支軸１４に着脱及び回転自在に係合させたものが存在する（特許文献１）。
【０００５】
このように構成した従来の掛け具は、ランドセルに取り付けられた状態で、予期しない無理な引っ張り力が加わったとき、例えば吊り下げた携行物が自動車などに引っ掛かって引っ張られたときに、ナス環がランドセルから抜け取れるようにしているので、ランドセルを背負った小学生の安全を確保できるという効果を有している。
【０００６】
さらに、背負いベルトに設けられた掛け具としては、例えば図１４〜１６に示したように、背負いベルト２１の略中央部に、Ｄ環２２の湾曲部２２ａを背負いベルト２１の下端側に向け、Ｄ環２２の直線部２２ｂを二つ折りにした金属板２３で保持し、その金属板２３をリベット２４で止めたものが存在する（特許文献２）。
【０００７】
このように構成した従来の掛け具は、背負いベルトに設けられた状態であっても嵩が低く、携行物を吊り下げない場合には、目立つことなく、邪魔になるようなことがないという効果を有している。
【特許文献１】特開平９−２２０１１２号公報（第１頁、図３、４）
【特許文献２】意匠登録第１２２９９９７号公報（正面図、Ａ部拡大図、Ｂ−Ｂ線断面図）
【考案の開示】
【考案が解決しようとする課題】
【０００８】
しかしながら、上記従来の図１２、１３に示したような掛け具では、ナス環本体１１、支軸１４を突設した基板１３、および支軸１４に取り付けるクランパー１５よりなり、クランパー１５には弾力的に開閉する開口部１６を有する取付部１７を設けたものとしているので、部品点数が多く、構造が複雑で、携行物を吊り下げない場合には、目立つと共に邪魔になるという問題点を有していた。
【０００９】
さらに、上記従来の図１４〜１６に示したような掛け具では、構造が簡単で、携行物を吊り下げない場合には、目立たず、邪魔になることがないが、予期しない無理な引張力が加わったとき、例えば吊り下げた携行物が自動車などに引っ掛かって引っ張られたときに、Ｄ環２２が背負いベルト２１から抜け取れず、ランドセルを背負った小学生が引き倒されたり、引きずられたりして、危険であるという問題点を有していた。
【００１０】
そこで、この考案は、前記ランドセルのような背負い鞄における背負いベルト用掛け具を提供するものであり、携行物を吊り下げない場合には、目立たず、邪魔になることもなく、また予期しない無理な引張力が加わって引っ張られたときには外れ、引き倒されたり、引きずられたりせず、小学生などの背負い鞄の使用者の安全を確保することを目的としてなされたものである。
【課題を解決するための手段】
【００１１】
そのため、この考案の背負い鞄における背負いベルト用掛け具は、背負いベルトＢにリベットＲにより固着するためのリベット孔Ｈを設けた当板部１と、弾力性を有するフック部２とからなり、前記フック部２に取付環４のリング状の取付部４ａを遊嵌する取付空間２ａを設けると共に、当板部１側に開口２ｂを設け、さらに前記当板部１とフック部２との間に、前記取付環４の取付部４ａの厚さよりも小さい隙間Ｓを設け、前記取付環４に所定の引張力以上の引張力が作用するとフック部２が弾性変形して、前記隙間Ｓが取付環４の取付部４ａの厚さよりも大きく広がり、その隙間Ｓから取付環４の取付部４ａが抜けて外れるようにしている。
【００１２】
そして、この考案の背負い鞄における背負いベルト用掛け具は、前記隙間Ｓに取付環４の取付部４ａを押し込んだときにはフック部２が弾性変形して、隙間Ｓが取付環４の取付部４ａの厚さよりも大きく広がり、その隙間Ｓに取付環４の取付部４ａを通すことができるようにしている。
【００１３】
さらに、この考案の背負い鞄における背負いベルト用掛け具は、前記当板部１の裏面におけるリベット孔Ｈの周囲に位置するようにして、背負いベルトＢの表面への押当て用の突起３を設けたものとしている。
【００１４】
また、この考案の背負い鞄における背負いベルト用掛け具は、前記当板部１の裏面上端部１ａおよび裏面下端部１ｂを背負いベルトＢ側に反らせたものとすると共に、当板部１の裏面周縁部１ｃより裏面中央部１ｄを窪ませたものとしている。
【００１５】
さらに、この考案の背負い鞄における背負いベルト用掛け具は、前記フック部２を略円筒胴形状とし、その略円筒胴の両端部を丸みを持たせたものとすると共に、その両端部の直径を中央部の直径より小さくしたものとしている。
【００１６】
また、この考案の背負い鞄における背負いベルト用掛け具は、前記フック部２の取付空間２ａの奥行きを浅くし、フック部２を嵩張らないようにしている。
【００１７】
さらに、この考案の背負い鞄における背負いベルト用掛け具は、前記所定の引張力を、小学生が引っ張られて、引き倒されたり、引きずられたりするのに耐えることができないと考えられる引張力に設定したものとしている。
【考案の効果】
【００１８】
この考案の背負い鞄における背負いベルト用掛け具は、以上に述べたように構成されているので、携行物を吊り下げない場合には、目立たず、邪魔になることもなく、また予期しない無理な引張力が加わって引っ張られたときには、フック部２が弾性変形して取付環３が外れるので、引き倒されたり、引きずられたりせず、小学生などの背負い鞄の使用者の安全を確保することができるものとなった。
【考案を実施するための最良の形態】
【００１９】
以下、この考案の背負い鞄における背負いベルト用掛け具の実施の形態を、図面に基づいて詳細に説明する。
【００２０】
この考案の背負い鞄における背負いベルト用掛け具は、図１〜８に示したように、縦長形状とした当板部１と、この当板部１との間に隙間Ｓを設けたフック部２からなるものとしている。
【００２１】
前記当板部１は、その上部に背負いベルトＢにリベットＲにより固着するためのリベット孔Ｈを設けている。この当板部１の裏面には、リベット孔Ｈの周囲に位置するようにして、背負いベルトＢの表面への押当て用の突起３を設けたものとしている。この突起３は、背負いベルトＢに当板部１をリベットＲにより固着したときに、回り止めの作用をするので、使用時に当板部１の下部に横方向の強い力が加わったとしても、背負いベルトＢに当板部１を最初に取り付けた位置から回転して動いたり、ずれたりするようなことがない。さらに、前記当板部１は、その裏面上端部１ａおよび裏面下端部１ｂを、背負いベルトＢ側に反らせたものとすると共に、当板部１の裏面周縁部１ｃより裏面中央部１ｄを窪ませたものとし、背負いベルトＢにリベットＲにより固着したときに、背負いベルトＢに密着するようにしている。このようにすれば、前記したように使用時に当板部１の下部に横方向の強い力が加わったとしても、背負いベルトＢに当板部１を最初に取り付けた位置から回転して動いたり、ずれたりするようなことが、より一層ないものとなる。
【００２２】
前記フック部２は、弾力性を有する板状体を曲げ加工したものとしており、図１〜３に示すようなナス環や、図５〜７に示すようなＤ環などの取付環４のリング状の取付部４ａを遊嵌する取付空間２ａを設けると共に、前記当板部１側に開口２ｂを設けたものとしている。さらに、このフック部２は、前記板状体を曲げ加工することにより略円筒胴形状とし、その略円筒胴の両端部を丸みを持たせたものとすると共に、その両端部の直径を中央部の直径より小さくしたものとしている。このようにすることにより、背負い鞄をランドセルとした場合には、倉庫保管時や流通過程において、図９に示したように、背負いベルトＢを背タレＴ側に巻き付けて包装箱に収納するときに、前記フック部２が背タレＴに接触して押し付けられても、この背タレＴには傷が付き難いものとなる。さらに、前記フック部２の取付空間２ａの縦断面形状を縦長円にするなどしてその奥行きを浅くし、フック部２を平たくして嵩張らないようにしている。このようにすることにより、携行物を吊り下げない場合には、前記フック部２がより邪魔になることなく、また図９に示したように、背負いベルトＢを背タレＴ側に巻き付けて包装箱に収納するときに、前記フック部２が背タレＴに接触して押し付けられても、この背タレＴにはより一層、傷が付き難いものとなる。
【００２３】
そして、前記当板部１とフック部２との間には、前記隙間Ｓを設けたものとしており、取付環４のリング状の取付部４ａを通すようにしている。この隙間Ｓは、取付環４の取付部４ａの厚さよりも小さくしており、この隙間Ｓから不用意に取付環４が外れないようにしている。さらに、前記取付環４に所定の引張力以上の引張力が作用するとフック部２が弾性変形して、前記隙間Ｓが取付環４の取付部４ａの厚さよりも大きく広がり、その隙間Ｓから取付環４の取付部４ａが抜けて外れるようにしている。また、前記隙間Ｓに取付環４の取付部４ａを押し込んだときにはフック部２が弾性変形して、隙間Ｓが取付環４の取付部４ａの厚さよりも大きく広がり、その隙間Ｓに取付環４の取付部４ａを通すことができるようにしている。
【００２４】
なお、この考案でいう前記所定の引張力とは、背負い鞄をランドセルとした場合には、小学生が自転車や自動車に引っ張られて、引き倒されたり、引きずられたりするのに耐えることができないと考えられる引張力、例えば８〜２０Ｋｇ程度の引張力に設定することができるが、ランドセル以外の背負い鞄の場合には、その背負い鞄の使用者に応じて、任意の引張力に設定することができる。
【００２５】
以上のように構成したこの考案の背負い鞄における背負いベルト用掛け具は、次のようにして使用する。
【００２６】
先ず、この考案の掛け具の当板部１を、ランドセルなどの背負い鞄における背負いベルトＢにリベットＲにより固定すると共に、フック部２にナス環やＤ環などの取付環４を取り付ける。すなわち、前記当板部１を背負いベルトＢにリベットＲにより固定するには、背負いベルトＢにもリベット孔（図示せず）を設けておき、リベットＲを当板部１のリベット孔Ｈから背負いベルトＢのリベット孔に貫通させ、リベットＲをかしめる。前記フック部２にナス環やＤ環などの取付環４を取り付けるには、取付環４のリング状の取付部４ａを、当板部１とフック部２の隙間Ｓから押し込んで、フック部２の開口２ｂに通せば、取付環４のリング状の取付部４ａがフック部２の取付空間２ａに位置することになり、フック部２に取付環４を取り付けることができる。
【００２７】
このようにして背負い鞄の背負いベルトＢに固定されたこの考案の掛け具は、給食袋、上履き入れ、定期入れ、キーホルダー、防犯ブザーなどの携行物（図示せず）の提げ紐を取付環４に掛けて、吊り下げることにより使用する。そして、これら携行物を吊り下げた状態で、予期しない無理な引張力が作用すると、すなわち吊り下げた携行物が自動車や自転車などに引っ掛かって引っ張られると、図１０、１１に示したように、フック部２が弾性変形して伸びると共に、隙間Ｓが取付環４の取付部４ａの厚さよりも大きく広げられる。すると、この広げられた隙間Ｓから取付環４の取付部４ａが抜けて外れることになる。その結果、前記取付環４に掛けた給食袋、上履き入れ、定期入れ、キーホルダー、防犯ブザーなどの携行物も外れるので、小学生などの背負い鞄の使用者が引き倒されたり、引きずられたりせず、安全性が確保される。
【００２８】
なお、この考案の掛け具のフック部２は、前記無理な引張力が作用すると、弾性変形して伸びるが破損することなく、前記無理な引張力が作用しなくなると、再び元の状態に戻るので、その元の状態に戻ったフック部２に取付環４を取り付ければ、再使用が可能となる。
【００２９】
また、この考案の掛け具は、取付環４が長年の使用などによって破損した場合には、その取付環４を交換することができる。すなわち、取付環４の取付部４ａをフック部２の開口２ｂに位置させ、取付環４を引っ張ると、フック部２が弾性変形して伸びると共に、隙間Ｓが取付環４の取付部４ａの厚さよりも大きく広げられる。すると、この広げられた隙間Ｓから取付環４の取付部４ａが抜けて外れることになる。そして、外した取付環４は新しいものに取替え、その新しい取付環４を前記した同様の操作によりフック部２に取り付ければよい。
【図面の簡単な説明】
【００３０】
【図１】この考案の掛け具の一実施形態を示しており、背負い鞄であるランドセルの背負いベルトに取り付けた状態を示す斜視図である。
【図２】図１に示すこの考案の掛け具の分解斜視図である。
【図３】図１に示すこの考案の掛け具の断面図である。
【図４】図１に示すこの考案の掛け具の当板部の裏面図である。
【図５】この考案の掛け具の他の実施形態を示しており、背負い鞄であるランドセルの背負いベルトに取り付けた状態を示す斜視図である。
【図６】図５に示すこの考案の掛け具の分解斜視図である。
【図７】図５に示すこの考案の掛け具の断面図である。
【図８】図５に示すこの考案の掛け具の当板部の裏面図である。
【図９】この考案の掛け具を取り付けた背負いベルトを背タレ側に巻き付けた状態を示す斜視図である。
【図１０】図１に示すこの考案の掛け具に予期しない無理な引張力が作用して、フック部が弾性変形して伸びた状態を示す断面図である。
【図１１】図５に示すこの考案の掛け具に予期しない無理な引張力が作用して、フック部が弾性変形して伸びた状態を示す断面図である。
【図１２】従来の掛け具の一例をランドセルの側面の横バンドに取り付けた状態を示す斜視図である。
【図１３】従来の掛け具の一例の分解斜視図である。
【図１４】従来の掛け具の他の例をランドセルの背負いベルトに取り付けた状態を示す平面図である。
【図１５】図１４のＡ部の拡大図である。
【図１６】図１５のＡ部のＢ−Ｂ線による断面図である。
【符号の説明】
【００３１】
１  当板部
１ａ  裏面上端部
１ｂ  裏面下端部
１ｃ  裏面周縁部
１ｄ  裏面中央部
２  フック部
２ａ  取付空間
２ｂ  開口
３  突起
４  取付環
４ａ  取付部
Ｂ  背負いベルト
Ｈ  リベット孔
Ｒ  リベット
Ｓ  隙間
【図１】
0003113296.tif 000003
【図２】
0003113296.tif 000004
【図３】
0003113296.tif 000005
【図４】
0003113296.tif 000006
【図５】
0003113296.tif 000007
【図６】
0003113296.tif 000008
【図７】
0003113296.tif 000009
【図８】
0003113296.tif 000010
【図９】
0003113296.tif 000011
【図１０】
0003113296.tif 000012
【図１１】
0003113296.tif 000013
【図１２】
0003113296.tif 000014
【図１３】
0003113296.tif 000015
【図１４】
0003113296.tif 000016
【図１５】
0003113296.tif 000017
【図１６】
0003113296.tif 000018